(57)【要約】      （修正有）【課題】パネルの透明効果によって視覚に依る心理的清涼感を更に高め、更に金属カバー線条の材料コストを減らし、扇風機全体の美観と質感を向上させる扇風機の前カバー構造を提供する。【解決手段】扇風機の前カバー構造は、結合片１１１を備えるカバー体１１、透明エリア１２１を備えるパネル１２及びパネルに結合する装飾片１３を含み、装飾片を有するパネルとカバー体を結合する結合片に固定部材１４を挿入して固定した後、構成した扇風機の前カバーパネルに装飾片以外の環形透明エリアを形成する。それによって前カバーを扇風機に組み立てた時、パネルの透明エリアを通じて扇風機の羽根の運転状態をはっきりと見せる。【選択図】図２
0003220126.tif 000002
【実用新案登録請求の範囲】
【請求項１】
扇風機の前カバー構造であって、
中空エリアを有する結合片の外環に放射状のカバー線条を固定し、該結合片に複数の固定孔を穿設するカバー体と、
該結合片に結合し、透明エリアを有し、前端面に凹槽を形成し、後端面に環状凹槽を設置し、該環状凹槽内に該固定孔に対応する結合柱を設置するパネルと、
該パネルの凹槽に結合する装飾片と、
該カバー体の固定孔にそれぞれ挿入し、該結合柱に固定する複数の固定部材を含むことを特徴とする、
扇風機の前カバー構造。
【請求項２】
前記結合片は定位孔を穿設し、該環状凹槽には該定位孔と対応する凸柱を設置することを特徴とする請求項１記載の扇風機の前カバー構造。
【請求項３】
前記カバー線条は金属カバー線条であることを特徴とする請求項１記載の扇風機の前カバー構造。
【考案の詳細な説明】
【技術分野】
【０００１】
本考案は、扇風機に関するもので、特に金属材質の扇風機の前カバーで、且つ扇風機の前カバー中央に透明エリアを形成する構造である。
【背景技術】
【０００２】
一般の扇風機の前カバーは、後ろカバーをプラスチックリングと共に結合し、扇風機の羽根及び駆動装置上に組立固定する。高速回転する扇風機の羽根を仕切ることで、回転時の危険を防止する。近年、扇風機の前カバーは、危険性を下げる基本的機能の他に、前カバーのカバー線条の設置角度、形態、材質等を変えることで、扇風機の前カバーに導流及び循環効果を備えさせる。
【０００３】
従来技術は、前カバーのカバー線条の形態を変更することによって導流風流の効果を達成する（例として、特許文献１、２、３、４参照）。
【先行技術文献】
【特許文献】
【０００４】
【特許文献１】台湾特許登録第Ｍ４９４２２１号「扇風機の前カバー構造」
【特許文献２】台湾特許登録登録第Ｍ４９４２２２号「扇風機の前カバー構造（一）」
【特許文献３】台湾特許登録第Ｍ５４６４５５号「導流扇風機を用いた一体式前カバー」
【特許文献４】台湾特許登録第Ｍ４３７８９８号「扇風機の前カバー」
【考案の概要】
【考案が解決しようとする課題】
【０００５】
解決しようとする問題点は、従前の未改良の前カバーのカバー線条は、殆どが装飾片から中央後方に向かって一体に嵌合固定されるが、扇風機の羽根は中心に近いほど発生する風力が弱くなるため、装飾片周囲のカバー線条の隙間は弱い風力に過ぎない点にある。
また、扇風機の前カバー構造の設計上、カバー線条の設置範囲を減らして材料コストを減らすと、必然的に装飾片の面積が大きくなってしまうため、扇風機全体の美観が崩れ、材料コストと製品の美観との間に問題が起こってしまう。
【課題を解決するための手段】
【０００６】
本考案は、結合片を備えるカバー体、透明エリアを備えるパネル及びパネルに結合する装飾片を含み、装飾片を有するパネルとカバー体を結合する結合片に固定部材を挿入して固定した後、構成した扇風機の前カバーパネルに装飾片以外の環形透明エリアを形成し、それによって扇風機の前カバーを扇風機に組み立てた時、パネルの透明エリアを通じて扇風機の羽根の運転状態をはっきりと見せることを最も主要な特徴とする。
【考案の効果】
【０００７】
本考案の扇風機の前カバー構造には以下の利点がある。
【０００８】
一、本考案のパネル１２とカバー体１１の結合片１１１の間に、相互に対応する凸柱１２５及び定位孔１１５を設置し、パネル１２を凸柱１２５でカバー体１１の定位孔１１５に嵌合すると同時に、パネル１２の結合柱１２４を結合片１１１の固定孔１１４位置に対応させることでスピーディに組立作業が完了し、組立効率を高める。
【０００９】
二、本考案は、透明エリア１２１を備えたパネル１２を金属カバー線条１１３から構成されたカバー体１１に合わせる。組み立てた扇風機の前カバー１をパネル１２によって金属カバー線条１１３の被覆する面積を減らすことで、材料コストを節約する。
【００１０】
三、本考案の扇風機の前カバー１を扇風機２に結合すると、パネル１２の透明エリア１２１を通して羽根２１の運転状態を表すことができ、視覚的にも清涼感が高まり、過去の扇風機２と質感が異なり、扇風機２の全体的な美観が向上する。
【図面の簡単な説明】
【００１１】
【図１】本考案の立体分解図である。
【図２】本考案の別の角度の立体分解図である。
【図３】本考案の断面図である。
【図４】本考案の使用指示図である。
【考案を実施するための形態】
【００１２】
従前の扇風機の前カバー構造とカバー線条の配置方式は、材料コストの浪費等の欠点を有していた。
【００１３】
金属カバー線条の中央から透明エリアを備えたパネルを結合し、扇風機の前カバーを透明エリアによって前カバーの美観度を上げ、金属カバー線条の配置面積を少なくすることで材料コストを下げると同時に扇風機の質感を高める目的を達成する、扇風機の前カバー構造を提供することを、本考案の目的とする。
【００１４】
前述の目的を達成するため、本考案は扇風機の前カバー構造を提供する。それはカバー体、パネル、装飾片、複数の固定部材を含む。そのうち、該カバー体は、中空エリアを有する結合片外環に放射状のカバー線条を固定し、且つ該結合片に複数の固定孔を穿設する。該パネルは、該結合片に固定し、且つ透明エリアを有し、該パネルの前端面に凹槽を形成し、該パネルの後端面に環状凹槽を設置し、且つ該環状凹槽内にカバー体の固定孔の位置と対応する結合柱を設置する。該装飾片は、パネルの凹槽に結合する。及び該複数の固定部材は、カバー体の固定孔にそれぞれ挿入して結合柱で固定する。
【００１５】
以上を基礎として、装飾片のパネルとカバー体の結合片を結合し、固定部材を挿入して固定し、構成した扇風機の前カバーパネルに装飾片以外の環形透明エリアを形成し、扇風機の前カバーを扇風機に被せた時、パネルを通した透明エリアは扇風機の羽根の運転状態をはっきりと見せ、パネルの透明効果によって視覚に依る心理的清涼感を更に高め、更に金属カバー線条の材料コストを減らし、扇風機全体の美観と質感を向上させる。
【実施例】
【００１６】
本考案の目的を達成するための技術内容について、以下に内容を詳述し、合わせて図式及び図式の符号を提示する。
【００１７】
先ず、図１及び図２に示すとおり、該扇風機の前カバー１は、カバー体１１、パネル１２、装飾片１３及び複数の固定部材１４を含む。
該カバー体１１は、中空エリア１１２を有する結合片１１１の外環に放射状のカバー線条１１３を固定し、且つ結合片１１１に複数の固定孔１１４及び定位孔１１５を設置する。本考案の実施例に於いて、カバー線条１１３は金属カバー線条である。該パネル１２は結合片１１１に結合し、且つパネル１２は透明エリア１２１を有し、パネル１２前端面には凹槽１２２を形成し、パネル１２の後端面には環状凹槽１２３を設置する。環状凹槽１２３内には、カバー体１１の固定孔１１４の位置に対応する結合柱１２４、及び定位孔１１５の位置に対応する凸柱１２５を設置する。
該装飾片１３は、パネル１２の凹槽１２２に結合する。該複数の固定部材１４はカバー体１１の固定孔１１４にそれぞれ挿入して、結合柱１２４で固定する。
【００１８】
図１から図２に示すとおり、組立時は、装飾片１３をパネル１２の凹槽１２２内に結合固定する。続いて、パネル１２の環状凹槽１２３内に位置する凸柱１２５をカバー体１１の結合片１１１の定位孔１１５に挿入設置し（例として図３参照）、パネル１２を確実に定位する。これと同時にパネル１２の結合柱１２４をカバー体１１の固定孔１１４の位置に対応させ、固定部材１４を固定孔１１４に挿入後、結合柱１２４で固定し、パネル１２とカバー体１１の組立を完成する。
【００１９】
図４に示すとおり、扇風機の前カバー１を扇風機２に組立設置する時は、パネル１２の透明エリア１２１から羽根２１と扇風機の後カバーが一部見える。金属のカバー線条１１３に依るカバー体１１に透明エリア１２１を有するパネル１２を合わせると、今までとは異なる扇風機２の質感が形成される。
この他、扇風機２の運転時、透明エリア１２１によって羽根２１の運転状態がはっきり見え、透明効果によって視覚上の清涼感が高まり、且つ金属カバー線条１１３の材料コストが下がり、扇風機２全体の美観が向上する。
【００２０】
上述のとおり、本考案の良好な実施例は、本考案の請求範囲を限定するものではなく、本考案の技術精神に基づく変化と修飾はすべて本考案の請求範囲に含まれるものとする。
【００２１】
以上のとおり、本考案は確実に従前の具体的改良を突破し、新規性・進歩性を有する内容であり、且つ具体的実施例を備えることから実用新案登録の要件を備える。
【符号の説明】
【００２２】
１  前カバー
１１  カバー体
１１１  結合片
１１２  中空エリア
１１３  カバー線条
１１４  固定孔
１１５  定位孔
１２  パネル
１２１  透明エリア
１２２  凹槽
１２３  環状凹槽
１２４  結合柱
１２５  凸柱
１３  装飾片
１４  固定部材
２  扇風機
２１  羽根
【図１】
0003220126.tif 000003
【図２】
0003220126.tif 000004
【図３】
0003220126.tif 000005
【図４】
0003220126.tif 000006